(57)【要約】【課題】  洗浄用回転ブラシの交換を安全かつ迅速に行うためのブラシ交換用治具及びブラシ交換用キャリアを提供する。【解決手段】  回転ブラシの回転軸を受ける回転軸受け部１０と、回転ブラシの回転軸を回転軸受け部１０に固定する回転軸固定部２０とを有し、回転軸固定部２０は、回転軸を回転軸受け部１０に固定するための回転軸押さえ部３０と、回転ブラシを移動させるための移動用孔部４０とをさらに有する。【選択図】      図１
2008207117.tif 000002
【特許請求の範囲】
【請求項１】
大型ガラス基板を洗浄する回転ブラシのブラシ交換用治具であって、
前記回転ブラシの回転軸を受ける回転軸受け部と、前記回転ブラシの前記回転軸を前記回転軸受け部に固定する回転軸固定部とを有し、
前記回転軸固定部は、前記回転軸を前記回転軸受け部に固定するための回転軸押さえ部と、前記回転ブラシを移動させるための移動用孔部とをさらに有することを特徴とするブラシ交換用治具。
【請求項２】
大型ガラス基板を洗浄する回転ブラシのブラシ交換用治具であって、
円盤型の中心部に前記回転ブラシの回転軸に取り付けられるための取り付け用孔部と、前記円盤型の円周と前記取り付け用孔の円周との間に１つ以上の移動用孔部とを有することを特徴とするブラシ交換用治具。
【請求項３】
請求項１又は２に記載のブラシ交換用治具の前記移動用孔部に着脱される着脱手段と、前記着脱手段を昇降させる昇降手段と、前記着脱手段を移動させる移動手段とを有し、
前記移動用孔部に前記着脱手段を装着して、回転ブラシを運搬することを特徴とするブラシ交換用キャリア。
【発明の詳細な説明】
【技術分野】
【０００１】
本発明は、生産工程における大型基板の洗浄を行う洗浄用回転ブラシに係り、詳しくは、洗浄用回転ブラシの交換を安全かつ迅速に行うためのブラシ交換用治具及びブラシ交換用キャリアに関する。
【背景技術】
【０００２】
フラットパネルディスプレイ及びプラズマディスプレイの表示画面は年々大型化し、そのマスク基板は１．５ｍ×１．５ｍ×５ｍｍを越える大きさになっている。このためマスク基板の洗浄工程において、大型マスク基板を洗浄する洗浄用回転ブラシも長大化し、２ｍの長さになろうとしている。このため、この長大化した回転ブラシのメンテナンスにおける交換作業は、もはや一人の人手では行えなくなってきている。また交換の際、洗浄液が付着した回転ブラシを交換するため、滑り易く、作業性が悪い。さらに、洗浄液が人体に再付着し難い交換方法が望ましい。
【０００３】
特許文献１には、洗浄ブラシの両端部の支軸部に係合する係合部が一端面に開放して形成された一対の治具本体と、治具本体に形成された取り付け孔に着脱可能に挿入保持されて係合部の開放端を閉塞し係合部が支軸部の径方向に外れないよう治具本体を保持する抜け止め部材と、一対の治具本体に両端部が連結されこれら治具本体の係合部が支軸部の軸方向に抜出するのを阻止する把持部材とを具備し、把持部材を把持して洗浄ブラシを洗浄装置に対して着脱する旨についての記載がされている。
【特許文献１】特開２００５−２３８０１１号公報
【発明の開示】
【発明が解決しようとする課題】
【０００４】
本発明は、このような問題を解決するためになされたものであり、その目的は、洗浄用回転ブラシの交換を安全かつ迅速に行うためのブラシ交換用治具及びブラシ交換用キャリアを提供することにある。
【課題を解決するための手段】
【０００５】
本発明のブラシ交換用治具は、大型ガラス基板を洗浄する回転ブラシのブラシ交換用治具であって、回転ブラシの回転軸を受ける回転軸受け部と、回転ブラシの回転軸を回転軸受け部に固定する回転軸固定部とを有し、回転軸固定部は、回転軸を回転軸受け部に固定するための回転軸押さえ部と、回転ブラシを移動させるための移動用孔部とをさらに有することを特徴とする。
【０００６】
本発明のブラシ交換用治具は、大型ガラス基板を洗浄する回転ブラシのブラシ交換用治具であって、円盤型の中心部に回転ブラシの回転軸に取り付けられるための取り付け用孔部と、円盤型の円周と取り付け用孔の円周との間に１つ以上の移動用孔部とを有することを特徴とする。
【０００７】
本発明のブラシ交換用キャリアは、ブラシ交換用治具の移動用孔部に着脱される着脱手段と、着脱手段を昇降させる昇降手段と、着脱手段を移動させる移動手段とを有し、移動用孔部に着脱手段を装着して、回転ブラシを運搬することを特徴とする。
【発明の効果】
【０００８】
本発明のブラシ交換用治具及びブラシ交換用キャリアによれば、長大化した回転ブラシのメンテナンスにおける交換作業が、一人の人手で行うことができ、また交換の際、洗浄液が人体に再付着し難く、且つ滑り易い回転ブラシを安全に交換することが可能となる。
【発明を実施するための最良の形態】
【０００９】
本発明による実施の形態について、図を用いて説明する。図１は、本発明のブラシ交換用治具の構成と構造とを示す治具図である。図１ａにおいて、ブラシ交換用治具１００−１は、回転ブラシの回転軸を受ける回転軸受け部１０と、回転ブラシの回転軸を回転軸受け部１０に固定する回転軸固定部２０とを有している。内側の破線は、回転ブラシの回転軸を示し、外側の破線は回転ブラシの円周を示している。
【００１０】
回転軸受け部１０は、回転ブラシの回転軸を受けるため、一端面がＵ型に開放されている。回転軸固定部２０は、回転ブラシの回転軸を回転軸受け部１０に固定するための回転軸押さえ部３０と、固定された回転ブラシを移動させるための移動用孔部４０とを有している。回転軸固定部２０は、固定ネジ２５−１、２をさらに有し、回転軸受け部１０に回転ブラシの回転軸を固定する。また、回転軸受け部１０に回転ブラシの回転軸を固定するものであれば、これに限定されるものではない。回転軸押さえ部３０は、回転ブラシの回転軸を傷つけないで、且つ回転軸受け部１０に安定に固定されるように作用する。回転軸押さえ部３０は、取り付けネジ３５−１、２により回転軸固定部２０に取り付けられているが、これに限定されるものではない。
【００１１】
図１ｂにおいて、ブラシ交換用治具１００−２は、円盤型の中心部に回転ブラシの回転軸に取り付けられるための取り付け用孔部５０と、円盤型の円周と取り付け用孔部５０の円周との間に１つ以上の移動用孔部５５とを有している。ブラシ交換用治具１００−２を回転ブラシの回転軸に取り付ける場合は、回転ブラシが回転ブレを起こさないように取り付けられることが望ましい。ブラシ交換用治具１００−２が円盤型であり、移動用孔部５５がバランスよく均等に配置されていることにより、回転ブラシは、高速回転に対して回転ブレを起こすことなく、安定して回転することができる。
【００１２】
図２は、本願発明のブラシ交換用治具が回転ブラシの回転軸に装着された状態を示す治具装着図である。図２ａにおいてブラシ交換用治具１００−１が、回転ブラシ６５の両端に突出している回転軸６０に、それぞれ固定ネジ２５−１、２により装着されている。図２ｂにおいては、ブラシ交換用治具１００−２が、回転ブラシ６５の両端に突出している回転軸６０に、それぞれ回転ブラシが回転ブレを起こさない方法により装着されている。
【００１３】
回転ブラシ６５のメンテナンスのためにブラシの交換作業を行う際、回転ブラシ６５の運搬については、移動用孔部４０又は５５を利用して人手により運搬しても良い。この場合、移動用孔部４０又は５５の孔の形状は、手で持ち運びし易い形状であることが望ましい。またこの移動用孔部４０又は５５を用いることにより、回転ブラシ６５に付着した洗浄液が人体に再付着し難く、且つ滑り易い回転ブラシ６５を安全に運搬することが可能となる。
【００１４】
図３は、本願発明のブラシ交換用治具を用いて回転ブラシを運搬するブラシ交換用キャリアの構成とそのレイアウトを示すレイアウト構成図である。図３ａにおいて、ブラシ交換用キャリア２００は、ブラシ交換用治具１００−１又は１００−２の移動用孔部４０又は５５に着脱される着脱手段７０と、着脱手段７０を昇降させる昇降手段８０と、着脱手段７０を移動させる移動手段９０とを有している。
【００１５】
着脱手段７０は、回転ブラシ６５を運ぶため、ブラシ交換用治具１００−１又は１００−２の移動用孔部４０又は５５に着脱される。このため、着脱手段７０は、移動用孔部４０又は５５の形状に適合して、容易且つ確実に着脱される構造であることが望ましい。昇降手段８０は、着脱手段７０に接続された昇降軸８５と、昇降軸８５を上下に駆動する昇降用駆動モータ８３とを有しているが、昇降機能を有するものであれば、これに限定されるものではない。移動手段９０は、着脱手段７０を移動させるため設置されたガイドレール９７−１、２上を回転移動する回転体９５−１、２と、回転体９５−１、２を駆動する移動用駆動モータ９３とを有している。また移動手段９０においても、移動機能を有するものであれば、これに限定されるものではない
【００１６】
図３ｂにおいて、回転ブラシ６５は、洗浄槽の入口と出口による平面を上下挟んで２本が対を成し、任意の数の対が洗浄槽内に実装されている。また、各回転ブラシ６５の対は回転ブラシ駆動モータにより駆動され、入口から運ばれてきた大型ガラス基板を洗浄すると共に、出口に向けて搬送する。ブラシ交換用キャリア２００は、この洗浄槽の上部に設置されてブラシの交換を行う。
【００１７】
回転ブラシ６５のメンテナンスのためにブラシの交換作業を行う際、ブラシ交換用キャリア２００は移動手段９０により、ガイドレール９７−１、２上を、洗浄槽の所定の位置まで移動する。続いて昇降手段８０は、着脱手段７０を降下させて、ブラシ交換用治具１００−２の位置に停止させる。着脱手段７０が、ブラシ交換用治具１００−２の移動用孔部５５に装着されると、昇降手段８０は、着脱手段７０を元の位置まで上昇させる。着脱手段７０が元の位置に上昇すると、移動手段９０は着脱手段７０を所定の位置まで移動させ、回転ブラシ６５の交換が行われる。
【００１８】
新たにセットされた回転ブラシ６５は、再びブラシ交換用キャリア２００の同じ動作により、取り外された回転ブラシの位置に設置されて交換が完了する。この動作は、交換を必要とする任意の回転ブラシに対して連続して行われる。また、ブラシ交換用治具がブラシ交換用治具１００−１である場合は、人手によりブラシ交換用治具１００−１が回転軸６０の所定の位置にセットされた後、同様の動作が行われる。
【００１９】
以上説明したように、本発明の及びによれば、長大化した回転ブラシのメンテナンスのための交換作業において、洗浄液が人体に再付着し難く、且つ滑り易い回転ブラシを安全に交換することが可能となるブラシ交換用治具を提供することができる。また、少なくとも一人の人手で交換作業を行うことが可能となるブラシ交換用キャリアを提供することができる。
【図面の簡単な説明】
【００２０】
【図１】本発明のブラシ交換用治具の構成と構造とを示す治具図。
【図２】本願発明のブラシ交換用治具の装着状態を示す治具装着図。
【図３】本願発明のブラシ交換用治具とブラシ交換用キャリアのレイアウト構成図。
【符号の説明】
【００２１】
１０  回転軸受け部
２０  回転軸固定部
２５−１、２  固定ネジ
３０  回転軸押さえ部
３５−１、２  取り付けネジ
４０  移動用孔部
５０  取り付け用孔部
５５  移動用孔部
６０  回転軸
６５  回転ブラシ
７０  着脱手段
８０  昇降手段
８３  昇降用駆動モータ
８５  昇降軸
９０  移動手段
９３  移動用駆動モータ
９５−１、２  回転体
９７−１、２  ガイドレール
１００−１、２  ブラシ交換用治具
２００  ブラシ交換用キャリア
【図１】
2008207117.tif 000003
【図２】
2008207117.tif 000004
【図３】
2008207117.tif 000005